【事件の表示】
　平成１０年特許願第２１９７２０号「画像検索方法および画像検索装置」拒絶査定不服審判事件〔平成１１年　５月２８日出願公開、特開平１１−１４６３２６〕について、次のとおり審決する。
【結　論】
　本件審判の請求は、成り立たない。
【理　由】
第１　手続の経緯
１　手続
　本願は，平成１０年７月１７日（先の出願に基づく優先権主張：優先日平成９年８月１１日）の出願であって，平成１４年３月２７日付けで手続補正がなされ，平成１５年１１月２１日付けで拒絶理由が通知され，これに対し平成１６年１月２９日付で手続補正がなされ，平成１６年９月２２日付で拒絶査定がなされ，これに対し平成１６年１０月２１日に拒絶査定に対する審判請求がなされるとともに，平成１６年１０月２１日付けで手続補正（明細書及び図面について請求の日から３０日以内にする補正）がなされたものである。
　
２　査定
　原査定の理由は，概略，下記の通りである。
　　　　　　　　　　　　　　　　　　記
　本願の請求項１ないし１８に係る発明は，下記刊行物に記載された発明に基づいて，当業者が容易に発明をすることができたものであるから，特許法第２９条第２項の規定により特許を受けることができない。
　　　　　　　　　　　　　　　　　　記
（１）特開平６−３０９３７６号公報
（２）特開平１−１４２９７８号公報
（３）特開平４−１２９３９３号公報
（４）特開平５−５４５２０号公報
　
　
第２　請求時の補正
　平成１６年１０月２１日付の手続補正（以下「本件補正」という。）は，本件補正前の特許請求の範囲において，請求項１−５及び請求項１５の削除を行うものであるから，特許法第１７条の２第４項第１号の請求項の削除に該当する。
　
　
第３　本願発明
　本願の請求項１ないし請求項１２に係る発明は，本願明細書及び図面（平成１４年３月２７日付け，平成１６年１月２９日付け及び平成１６年１０月２１日付けの手続補正書により補正された明細書及び図面）の記載からみて，それぞれ，その特許請求の範囲の請求項１から請求項９までに記載したとおりの「画像検索方法」並びに，請求項１０から請求項１２に記載したとおりの「画像検索装置」であると認められるところ，そのうち，請求項４に係る発明（以下，「本願発明」という。）は，次のとおりのものと認める。
「メモリに複数の画像を記憶し，この複数の画像の中から所望の画像を検索する画像検索方法であって，
　前記メモリは前記複数の画像に対応して該画像よりもサイズの小さい複数の簡易画像を記憶し，
　ページ送りを指示するボタンの押し込み状態が第１の状態の時，前記メモリに記憶されている前記複数の画像を順次表示しながらページ送りし，
　ページ送りを指示するボタンの押し込み状態が第２の状態の時，前記メモリに記憶されている前記複数の簡易画像を順次表示しながらページ送りし，
　ページ送りを指示するボタンの第２の押し込み状態が解除された時は，その時点で表示されていた簡易画像と対応して前記メモリに記憶されている画像を前記簡易画像に代えて表示することを特徴とする画像検索方法。」
　
　
第４　当審の判断
（１）引用例
ア　引用例１の記載
　原査定において引用された特開平６−３０９３７６号公報（平成６年１１月４日出願公開。以下「引用例１」という。）には，図面とともに，次のとおりの記載がある。
（ア）「図１は本発明の第４の目的を達成するための本発明の第５の実施例を示す，画像ファイル検索システムの一例である。同図において，４５はブラウジング用圧縮画像データの流れる経路，４６は圧縮画像データ符号削除部制御信号の流れる経路，４７は削除情報入力部であり，他の部分は図１１又は図２，図３，図４，図５の同一符号のものと同じである。同図ではファイルサーバ３９とクライアント４２を通信網４１で接続したクライアントサーバシステムで，画像ファイル検索システムを構成している。しかし通信網４１を，内部バス等に置き換えて考ればスタンドアロン型の画像ファイル検索システムとも考えることができる。いずれの場合も本発明の本質から外れるものではないので，ここでは図１のクライアントサーバシステムによる画像ファイル検索システムを例に説明する。なお，ぺらぺらと手めくりして拾い読みする意味としてブラウジングということばを使用する。
　
　まずクライアント４２は，あらかじめファイルサーバ３９内の情報記憶媒体４０の中にある圧縮画像データの検索情報を得て，それにより検索する範囲を決める。圧縮画像データの検索情報はファイル名，ファイルヘッダ情報，あるいは他の検索情報格納用ファイル内の情報として得られ，もし希望する画像の内容が分かっているのならば，それによりある程度，候補をしぼり込むことができる。範囲を決めた後，それらの表示順を決める。これはアルファベット順でも，任意に指定することでもよい。この順番にそって順に表示させて検索していく。
　
　検索範囲と順番が決まったクライアント４２は，表示する画像を要求する圧縮画像データ要求信号を，経路４３を介してファイルサーバ３９に出力する。これと同時にクライアント４２の削除情報入力部４７から，圧縮画像データ符号削除部３に，圧縮画像データ符号削除制御信号を，経路４６を介して出力する。圧縮画像データ符号削除制御信号には復号に必要なパラメータの要否，圧縮画像データの符号削除の要否，削除する周波数成分の情報などが含まれる。削除情報入力部４７については後述する。ファイルサーバ３９は，この圧縮画像データ要求信号に応じて圧縮画像データを経路４４を介して圧縮画像データ符号削除部３に出力する。圧縮画像データ符号削除部３では，圧縮画像データ符号削除部制御信号に従って圧縮画像データのデータ量を減らし，ブラウジング用圧縮画像データとして，経路４５を介してクライアント４２の圧縮画像データ再生部１に出力する。圧縮画像データ再生部１では，このブラウジング用圧縮画像データを伸長して表示させる。利用者は，ブラウジング用の画像を見ながら削除情報入力部４７を操作して検索をする。」（１１ページ右欄３８行−１２ページ左欄３５行）
　
（イ）「削除情報入力部４７は，画像を次々と表示させていくスピード（表示する画像の大まかさの度合い）を利用者に指定されて入力するユーザインターフェースである。図１２に，この一例としてのスロットルレバー式インターフェースを示す。同図において４８はスロットルレバー，４９，５０，５１，５２，５３はスロットルレバー４８の位置を示すものである。（中略）このスロットルレバー式インターフェースは圧縮画像データのデータ量を変化させて，表示の鮮明さをコントロールすることによって表示を早くするインターフェースである点が違う。」（１２ページ左欄３６行−右欄３行）
　
（ウ）「図１２のスロットルレバー４８では，位置５１では鮮明な圧縮画像データを再生させて停止する。位置５０ではあらかじめ決めた画像検索の順番に従って順に高画質な画像を表示する。（中略）つまり，圧縮画像データ要求信号を出したときに，圧縮画像データ符号削除部制御信号で符号を削除を行わないことを指定する。この位置５０と位置５３では，スロットルレバー４８を放したときに自然にスロットルレバー４８が位置５１にもどり，表示している最中の高画質な画像を表示して停止する。なお，放すという意味は，例えば，機械的なスロットルレバーであれば文字通り手を放すことであり，画面上の仮想的なスロットルレバーの場合は，マウス等のボタンを放すことである。」（１２ページ右欄４−１７行）
　
（エ）「位置４９では，低画質の画像をあらかじめ決めた順番に従って順に表示させていく。（中略）つまり，圧縮画像データ要求信号を出したときに，圧縮画像データ符号削除部制御信号で符号の削除する周波数成分を指定する。（中略）この位置４９と位置５２では，スロットルレバー４８を放したときに自然にスロットルレバー４８が位置５１にもどり，表示している最中の低画質な画像を鮮明な画像に表示して停止する。」（１２ページ右欄１８−３４行）
　
イ　引用例２の記載
　原査定において引用された特開平１−１４２９７８号公報（平成１年６月５日出願公開。以下「引用例２」という。）には，図面とともに，次のとおりの記載がある。
（オ）「Ａ１サイズ、Ａ２サイズの大形サイズである図面等の画像に対しては、抽象画像（アブストラクト画像）としての縮小画像（Ａ４サイズに縮小）を作成し、原画像とともに、光ディスク１９に記憶しておき、キーボード２３により検索の指示があった場合に、まず抽象画像をＣＲＴデイスプレイ装置２４で表示する。そして、必要な図面（画像）が見つかるまで、検索の指示に応じて、抽象画像が順次、本をばらばらと捲っているように表示され、必要な図面（画像）が見つかった場合に原画像の要求を行なう。」（９ページ右上欄１１行−左下欄１行）
　
ウ　引用例３の記載
　原査定において引用された特開平５−５４５２０号公報（平成５年３月５日出願公開。以下「引用例３」という。）には，図面とともに次のとおりの記載がある。
（カ）「電子スチルカメラまたはビデオフロッピーの再生装置で希望する画像を再生する場合、従来の再生方式は大別すると３通りある。（中略）つぎに再生送りボタンによる連続送りの場合である。再生送りボタンを押し続けることにより連続再生し、希望する画像を探し再生するものである。」（２ページ左欄２３−３０行）
（キ）「本発明によるビデオフロッピー記録画再生方法は再生送りボタンの押圧の変化を検出スイッチにより検出し、連続再生で前記再生送りボタンの押圧を大きくした場合、押圧の大きさに従って再生送り時間または再生なしのトラック番号表示の間隔を短縮するように構成されている。」（２ページ右欄５−１０行）　
　
（２）対比
　本願発明と引用例１に記載された発明（以下「引用発明」という。）とを対比する。
ア　引用例１の上記記載（ア）及び第１図によれば，画像ファイル検索システムでは，情報記憶媒体４０の中にある圧縮画像データを，圧縮画像データ符号削除部３においてデータ量を減らし，ブラウジング用圧縮画像データとして経路４５を介してクライアント４２の圧縮画像データ再生部１に出力し，同再生部１でこのブラウジング用圧縮画像データを伸張し，利用者がブラウジング用の画像を見ながら検索を可能とする。
　引用発明の「情報記憶媒体４０」，「圧縮画像データ」は，それぞれ本願発明の「メモリ」，「画像」に相当する。
　したがって，引用例１に記載される「画像ファイル検索システム」は，「メモリに複数の画像を記憶し，この複数の画像の中から所望の画像を検索する画像検索方法」といえる。
　
イ　引用例１の上記記載（ア）によれば，利用者は，ブラウジング用の画像を見ながら削除情報入力部４７を操作して検索を行うものであるところ，「ぺらぺらと手めくりして拾い読みする意味としてブラウジングということばを使用する」という記載から，この引用発明における「ブラウジング」は，本願発明の「ページ送り」に相当する。
　
ウ　記載（イ）によれば，スロットルレバー４８の位置により画像を次々と表示させていくスピード（表示する画像の大まかさの度合い）を利用者が指定する。
　また，上記イにおいて検討したように引用発明における「ブラウジング」は，本願発明の「ページ送り」に相当する。
　したがって，本願発明における「ボタン」も，引用発明に記載される「スロットルレバー」も，ユーザにより操作されることで「ページ送りを指示する部材」であることに変わりはない。
　もっとも，本願発明のページ送りを指示する部材は「ボタン」であるのに対し，引用発明のページ送りを指示する部材は「スロットルレバー」である。
　
エ　引用例１の上記記載（ウ）及び第１２図の記載事項によれば，スロットルレバー４８が位置５０にあるときは，順に高画質な画像を表示する。この高画質な画像は，符号削除を行っていない画像であるが故，圧縮画像データそのものである。スロットルレバー４８が「位置５０にあるとき」には，順に高画質な画像を表示するものであるから，引用発明におけるスロットルレバー４８が「位置５０にあるとき」は，本願発明の「第１の状態」に相当する。
　したがって，引用発明は「ページ送りを指示する部材の状態が第１の状態の時，メモリに記憶されている複数の画像を順次表示しながらページ送り」するものである。
　
オ　引用例１の上記記載（エ）及び第１２図の記載事項によれば，スロットルレバー４８が位置４９にあるときは，低画質の画像をあらかじめ決めた順番に従って表示させる。引用例１の上記記載（ア）によると，この「低画質な画像」は，圧縮画像データ符号削除部制御信号に従って圧縮画像データのデータ量を減らしたものであるから，本願発明の「簡易画像」に相当する。
　そして，スロットルレバー４８が「位置４９にあるとき」は，順に簡易画像を表示するものであるから，引用発明におけるスロットルレバー４８が「位置４９にあるとき」は，本願発明の「第２の状態」に相当する。
　したがって，引用発明は「ページ送りを指示する部材の状態が第２の状態の時，複数の簡易画像を順次表示しながらページ送り」するものである。
　もっとも，本願発明では，「メモリは前記複数の画像に対応して該画像よりもサイズの小さい複数の簡易画像を記憶し」，「前記メモリに記憶されている前記複数の簡易画像」を順次表示するのに対して，引用発明における簡易画像は，圧縮画像データ符号削除部制御信号に従って圧縮画像データのデータ量を減らしたものである。
　
カ　引用例１の上記記載（エ）及び第１２図の記載事項によれば，スロットルレバー４８を放したときには，位置４９から位置５１に自然にもどり，表示している最中の低画質な画像を鮮明な画像に表示して停止する。上記ウにおいて検討したように，この引用例１に記載される「低画質な画像」，「位置４９にあるとき」は，それぞれ，本願発明の「簡易画像」，「第２の状態」に相当する。また，位置４９にてスロットルレバー４８を放したときには，スロットルレバー４８は位置５１に戻って鮮明な画像を表示するものであるから，位置４９にてスロットルレバー４８を放すことは，本願発明の「第２の状態を解除」することに相当し，スロットルレバー４８が位置５１に戻って鮮明な画像を表示することは，本願発明の「簡易画像に代えて表示する」ことに相当する。
　したがって，引用発明は「ページ送りを指示する部材の第２の状態が解除された時は，その時点で表示されていた簡易画像と対応する画像を前記簡易画像に代えて表示する」ものである。
　
　以上，ア−カの検討から，本願発明と引用発明とは，
「メモリに複数の画像を記憶し，この複数の画像の中から所望の画像を検索する画像検索方法であって，
　ページ送りを指示する部材の状態が第１の状態の時，前記メモリに記憶されている前記複数の画像を順次表示しながらページ送りし，
　ページ送りを指示する部材の状態が第２の状態の時，複数の簡易画像を順次表示しながらページ送りし，
　ページ送りを指示する部材の第２の状態が解除された時は，その時点で表示されていた簡易画像と対応する画像を前記簡易画像に代えて表示することを特徴とする画像検索方法。」
　である点で一致し，以下の点で相違している。
　
［相違点１］
　本願発明では，「メモリは前記複数の画像に対応して該画像よりもサイズの小さい複数の簡易画像を記憶し」，「前記メモリに記憶されている前記複数の簡易画像」を順次表示するのに対して，引用発明における簡易画像は，圧縮画像データ符号削除部において画像のデータ量を削減されたものである点。
　
［相違点２］
　本願発明のページ送りを指示する部材は「ボタン」であり「第１の状態」及び「第２の状態」を「ボタンの押し込み状態」とするのに対し，引用発明のページ送りを指示する部材は「スロットルレバー」であり「第１の状態」及び「第２の状態」をスロットルレバーの位置とする点。
　
（３）判断
　以下，上記相違点について検討する。
［相違点１］
　引用例２の記載（オ）によれば，縮小画像としての抽象画像を順次，本をばらばらと捲っているように表示する検索において，抽象画像を原画像とともに光ディスクに記憶することの開示が認められるところ，引用発明も，簡易画像をページ送りして検索するという同様の検索方法を採用するものであるから，引用発明において，圧縮画像データ符号削除部で画像から簡易画像を生成することに代え，あらかじめ簡易画像を画像とともに記憶しておくことは当業者にとって容易である。
　また，これによる効果は，平成１６年１０月２１日付けの理由補充書で主張する「メモリに記憶されている複数の画像の中から所望の画像を検索する時間を大幅に短縮することができる」点を含めて考慮しても，予測される範囲を超える格別のものとはいえない。
　
［相違点２］
　引用例３の記載（カ）（キ）によれば，再生送りボタンを押し続けることで画像の連続再生を行う画像検索において，再生送りボタンの押圧を変えることで，再生送り間隔を変えることの開示が認められる。
　ここで，引用例１の記載（イ）によれば，削除情報入力部４７は，画像を次々と表示させていくスピードを利用者に指定されて入力するインターフェースであり，この削除情報入力部４７の一形態としてスロットルレバー式インタフェースが採用されている。
　引用例３に記載されている画像の連続再生において再生送り間隔を変えることは，画像のページ送りのスピードを変化させることに相当するから，引用発明における「スロットルレバー」も引用例３に記載される「再生送りボタン」も，画像検索において，ページ送りのスピードを指定するユーザインタフェースであることに変わりはない。
　したがって，引用発明における「スロットルレバー」を「ボタン」とすること，並びに，スロットルレバーの位置に変え，ボタンの押し込み状態とすることは当業者にとって容易である。
　また，これによる効果は，平成１６年１０月２１日付けの理由補充書で主張する「ページ送りを指示するボタンの押し込み状態を変えるといった簡易な操作」である点を含めて考慮しても，予測される範囲を超える格別なものとはいえない。
　
　以上判断したとおり，本願発明における上記相違点１及び２は何れも当業者が容易に相到し得たものであり，また，各相違点を総合しても本願発明は当業者が相到することが困難なものとはいえない。
　そして，本願発明の作用効果も，引用例から当業者が予測できる範囲のものである。
　
　
第５　むすび
　以上のとおり，本願発明（請求項４に係る発明）は，引用例に記載された発明に基づいて当業者が容易に発明をすることができたものであるから，特許法第２９条第２項の規定により特許を受けることができない。
　したがって，残る請求項（請求項１から請求項３及び請求項５から請求項１２）について特に検討するまでもなく，本願は拒絶すべきものである。
　よって，結論のとおり審決する。